(57)【要約】【課題】アルミが加熱可能な高導電率負荷加熱可能コイルと、加熱できない高導電率負荷加熱不可能コイルが同一筐体内に内蔵する誘導加熱調理器において、鍋を加熱部に置く場合に、置き間違いが発生するなどの不都合が生じていた。【解決手段】高導電率負荷加熱可能コイル１２と、高導電率負荷加熱不可能コイル１３と、前記高導電率負荷加熱可能コイルの対向部分に対し前記高導電率負荷加熱不可能コイルの対向部分を異なる色または模様とした天板１１と、本体部１４とよりなる構成とし、これにより天板上のコイルの対向部分が異なる色または模様とできることから、高導電率負荷加熱可能コイルと高導電率負荷加熱不可能コイルの区別をひと目で見分けることができる。【選択図】　図１
2004134283.tif 000002
【特許請求の範囲】
【請求項１】
高導電率負荷加熱可能コイルと、高導電率負荷加熱不可能コイルと、前記高導電率負荷加熱可能コイルの対向部分に対し前記高導電率負荷加熱不可能コイルの対向部分を異なる色または模様とした天板と、本体部とを備えた誘導加熱調理器。
【請求項２】
高導電率負荷加熱可能コイルと、高導電率負荷加熱不可能コイルと、前記高導電率負荷加熱可能コイルの対向部分の一部または全部に対し裏面に塗料を塗布し、かつ前記高導電率負荷加熱不可能コイルの対向部分には裏面に塗料を塗布しない天板と、本体部とを備えた誘導加熱調理器。
【請求項３】
高導電率負荷加熱可能コイルと、高導電率負荷加熱不可能コイルと、前記高導電率負荷加熱可能コイルの対向部分における塗料が塗布された面積密度に対し、前記高導電率負荷加熱不可能コイルの対向部分における塗料が塗布された面積密度を異ならせた天板と、本体部とを備えた誘導加熱調理器。
【請求項４】
高導電率負荷加熱可能コイルに対向する天板表面に塗料を塗布した請求項１〜３のいずれか１項に記載の誘導加熱調理器。
【請求項５】
高導電率負荷加熱可能コイルと天板間に、高導電率材料からなり負荷である鍋に働く浮力を低減する浮力低減板を備えた請求項１〜４のいずれか１項に記載の誘導加熱調理器。
【請求項６】
高導電率負荷加熱可能コイルの周部近傍に対向する天板の表面または裏面に、加熱時に浮力による負荷の浮きまたは移動が生じる旨の注意書きを記載した請求項１〜５のいずれか１項に記載の誘導加熱調理器。
【請求項７】
高導電率負荷加熱可能コイルの周部近傍に対向する天板の表面または裏面に、加熱時に浮力低減板の発熱による天板の温度上昇によるやけど防止の旨の注意書きを記載した請求項５に記載の誘導加熱調理器。
【発明の詳細な説明】
【０００１】
【発明の属する技術分野】
本発明は、アルミまたはアルミと同等以上の高導電率の金属からなる鍋を加熱可能とするバーナを有する一般家庭用の誘導加熱調理器に関する。
【０００２】
【従来の技術】
誘導加熱調理器は、炎のない安全性や清掃性の良さ、あるいは高効率であることなどが市場に受け入れられ、近年急速に需要が拡大しつつある。しかしながら、従来構成の誘導加熱調理器では、アルミのように高導電率の金属材料から成る鍋は、加熱コイルでの損失が過大になったり、あるいはインバータ回路にて発生する損失が過大なるという課題があり、加熱することが困難であった。
【０００３】
この課題を解決するため、加熱コイルでの高周波・大電流での損失を低減することが可能な構成や、高周波化しても損失の増加分が小さい新方式のインバータが考案されている（例えば、特許文献１参照）。
【０００４】
従来のこの種の誘導加熱調理器の外観図を図８に示す。図８において、３７は負荷である鍋、３１は鍋３７を載置する天板、３２はアルミまたはアルミと同等以上の高導電率の金属からなる鍋を加熱可能とする高導電率負荷加熱可能コイル、３３はアルミまたはアルミと同等以上の高導電率の金属からなる鍋が加熱不可能な高導電率負荷加熱不可能コイルである。
【０００５】
【特許文献１】
特開２００２−７５６１３号公報
【０００６】
【発明が解決しようとする課題】
従来例に示したように、近年アルミまたはアルミと同等以上の高導電率の金属からなる鍋を加熱可能とする高導電率負荷加熱可能コイルを搭載した誘導加熱調理器が提案されているが、コスト高になることや、容積が大きく実装上の問題があることから、二口以上のバーナを有する誘導加熱調理器において、その全てのバーナに高導電率負荷加熱可能コイルを搭載するのではなく、高導電率負荷加熱可能コイルと高導電率負荷加熱不可能コイルとを共に搭載する形態が合理的である。
【０００７】
しかしながらこういった形態の場合、そのバーナが高導電率負荷加熱可能コイルか高導電率負荷加熱不可能コイルのどちらを搭載しているかで、加熱可能な鍋の材質が異なることになる。従来例のように一様なデザイン構成の天板ではそういった加熱部の区別がひと目で識別することが不可能であり、鍋を加熱部に置く場合に、置き間違いが発生するなどの不都合が生じ、使い勝手が悪いものとなっていた。
【０００８】
本発明はかかる点に鑑み、天板上の高導電率負荷加熱可能コイルの対向部分と、高導電率負荷加熱不可能コイルの対向部分に対し、異なるデザイン構成とし、使用者が、高導電率負荷加熱可能コイル搭載なのか、高導電率負荷加熱不可能コイル搭載なのかをひと目で識別出来るようにすることを目的とする。
【０００９】
【課題を解決するための手段】
この課題を解決するために本発明は第１の手段として、高導電率負荷加熱可能コイルと、高導電率負荷加熱不可能コイルと、前記高導電率負荷加熱可能コイルの対向部分に対し前記高導電率負荷加熱不可能コイルの対向部分を異なる色または模様とした天板と、本体部とにより成る構成とする。
【００１０】
また第２の手段として、高導電率負荷加熱可能コイルと、高導電率負荷加熱不可能コイルと、前記高導電率負荷加熱可能コイルの対向部分の一部または全部に対し裏面に塗料を塗布し、かつ前記高導電率負荷加熱不可能コイルの対向部分には裏面に塗料を塗布しない天板と、本体部とにより成る構成とする。
【００１１】
第３の手段として、高導電率負荷加熱可能コイルと、高導電率負荷加熱不可能コイルと、前記高導電率負荷加熱可能コイルの対向部分における塗料が塗布された面積密度に対し、前記高導電率負荷加熱不可能コイルの対向部分における塗料が塗布された面積密度を異ならせた天板と、本体部とにより成る構成とする。
【００１２】
これにより、使用者が高導電率負荷加熱可能コイル搭載のバーナなのか、高導電率負荷加熱不可能コイル搭載のバーナなのかをひと目で識別出来るようにすることができるとともに、高導電率負荷加熱時における注意書きを容易に認識出来るようになる。
【００１３】
【発明の実施の形態】
本発明の請求項１に記載の発明は、高導電率負荷加熱可能コイルと、高導電率負荷加熱不可能コイルと、前記高導電率負荷加熱可能コイルの対向部分に対し前記高導電率負荷加熱不可能コイルの対向部分を異なる色または模様とした天板と、本体部とよりなる構成としたものであり、これにより天板上のコイルの対向部分が異なる色または模様とできることから、高導電率負荷加熱可能コイルと高導電率負荷加熱不可能コイルの区別をひと目で見分けることができる。
【００１４】
請求項２に記載の発明は、高導電率負荷加熱可能コイルと、高導電率負荷加熱不可能コイルと、前記高導電率負荷加熱可能コイルの対向部分の一部または全部に対し裏面に塗料を塗布し、かつ前記高導電率負荷加熱不可能コイルの対向部分には裏面に塗料を塗布しない天板と、本体部とよりなる構成としたものであり、これにより天板上の裏面においてコイルの対向部分に塗料を塗布しているか否かによりひと目で判別できるようになるため、高導電率負荷加熱可能コイルと高導電率負荷加熱不可能コイルの区別を見分けることができる。
【００１５】
請求項３に記載の発明は、高導電率負荷加熱可能コイルと、高導電率負荷加熱不可能コイルと、前記高導電率負荷加熱可能コイルの対向部分における塗料が塗布された面積密度に対し、前記高導電率負荷加熱不可能コイルの対向部分における塗料が塗布された面積密度を異ならせた天板と、本体部とよりなる構成としたものであり、これにより天板上のコイルの対向部分における塗料が塗布された面積密度を変えることによりひと目で判別できるようになるため、高導電率負荷加熱可能コイルと高導電率負荷加熱不可能コイルの区別を見分けることができる。
【００１６】
請求項４に記載の発明は特に上記に加え、高導電率負荷加熱可能コイルに対向する天板表面に塗料を塗布した構成とすることにより、天板表面に塗料が塗布されているか否かにより、高導電率負荷加熱可能コイルか高導電率負荷加熱不可能コイルかを見分けることができる。
【００１７】
請求項５に記載の発明は特に上記に加え、高導電率負荷加熱可能コイルと天板間に、高導電率材料からなり負荷である鍋に働く浮力を低減する浮力低減板を備えた構成としたものであり、これにより高導電率負荷加熱時に発生する浮力を低減できるため、鍋の浮力による移動が抑制することができる。
【００１８】
請求項６に記載の発明は特に上記に加え、高導電率負荷加熱可能コイルの周部近傍に対向する天板の表面または裏面に、加熱時に浮力による負荷の浮きまたは移動が生じる旨の注意書きを記載した構成としたものであり、高導電率負荷加熱可能コイルを使用している際にコイルの周部近傍に注意書きが記載しているため、見やすくまたうっかりの見忘れも防止できる。
【００１９】
請求項７に記載の発明は特に上記に加え、高導電率負荷加熱可能コイルの周部近傍に対向する天板の表面または裏面に、加熱時に浮力低減板の発熱による天板の温度上昇によるやけど防止の旨の注意書きを記載した構成としたものであり、高導電率負荷加熱可能コイルを使用している際にコイルの周部近傍に注意書きが記載しているため、見やすくまたうっかりの見忘れも防止できる。
【００２０】
【実施例】
（実施例１）
以下本発明の第１の実施例について、図面を参照しながら説明する。
【００２１】
図１において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、１１は高導電率負荷加熱可能コイル１２の対向部分に対し高導電率負荷加熱不可能コイル１３の対向部分を異なる色または模様とした天板、１４は本体部で、高導電率負荷加熱可能コイル１２および高導電率負荷加熱不可能コイル１３を収容している。
【００２２】
以上のように本実施例によれば、天板１１上の高導電率負荷加熱可能コイル１２と高導電率負荷加熱不可能コイル１３の対向部分が異なる色または模様とできることから、高導電率負荷加熱可能コイル１２と高導電率負荷加熱不可能コイル１３の区別をひと目で見分けることができる。
【００２３】
（実施例２）
以下本発明の第２の実施例について、図面を参照しながら説明する。
【００２４】
図２において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、１５は高導電率負荷加熱可能コイル１２の対向部分の一部または全部に対し裏面に塗料を塗布し、かつ高導電率負荷加熱不可能コイル１３の対向部分には裏面に塗料を塗布しない天板、１４は本体部である。
【００２５】
以上のように本実施例によれば、天板１５上の裏面においてコイルの対向部分に塗料を塗布しているか否かにより塗布していれば高導電率負荷加熱可能コイル１２であると、ひと目で判別できるようになるため、高導電率負荷加熱可能コイル１２と高導電率負荷加熱不可能コイル１３の区別を見分けることができる。
【００２６】
（実施例３）
以下本発明の第３の実施例について、図面を参照しながら説明する。
【００２７】
図３において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、１６は高導電率負荷加熱可能コイル１２の対向部分における塗料が塗布された面積密度に対し、高導電率負荷加熱不可能コイル１３の対向部分における塗料が塗布された面積密度を異ならせた天板、１４は本体部である。
【００２８】
以上のように本実施例によれば、天板上のコイルの対向部分における塗料が塗布された面積密度を変えることによりひと目で判別できるようになるため、高導電率負荷加熱可能コイル１２と高導電率負荷加熱不可能コイル１３の区別を簡単に見分けることができる。
【００２９】
（実施例４）
以下本発明の第４の実施例について、図面を参照しながら説明する。
【００３０】
図４において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、１７は高導電率負荷加熱可能コイル１２に対向する天板表面に塗料を塗布した天板、１４は本体部である
以上のように本実施例によれば、天板上のコイルの対向部分において天板表面に塗料が塗布されているか否かによりひと目で判別できるようになるため、高導電率負荷加熱可能コイル１２と高導電率負荷加熱不可能コイル１３の区別を簡単に見分けることができる。
【００３１】
（実施例５）
以下本発明の第５の実施例について、図面を参照しながら説明する。
【００３２】
図５において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、１８は天板、１４は本体部、１９は高導電率負荷加熱可能コイル１２と天板１８の間に配置されたもので、高導電率材料からなり負荷である鍋１０に働く浮力を低減する浮力低減板である。
【００３３】
以上のように本実施例によれば、浮力低減板１９の作用により高導電率負荷加熱時に発生する浮力を低減できるため、鍋１０の浮力による移動を抑制することができる。
【００３４】
（実施例６）
以下本発明の第６の実施例について、図面を参照しながら説明する。
【００３５】
図６において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、２０は高導電率負荷加熱可能コイル１２の周部近傍に対向する部分の表面または裏面に、加熱時に浮力による負荷の浮きまたは移動が生じる旨の注意書きを記載した天板。１４は本体部である。
【００３６】
以上のように本実施例によれば、加熱時に浮力による負荷の浮きまたは移動が生じる旨の注意書きを、その使用している高導電率負荷加熱可能コイル１２の周部近傍に記載できるため、見やすくまたうっかりの見忘れも防止できる。
【００３７】
（実施例７）
以下本発明の第７の実施例について、図面を参照しながら説明する。
【００３８】
図７において、１０は負荷である鍋、１２はアルミまたはアルミと同等以上の高導電率の金属からなる鍋を加熱可能とする高導電率負荷加熱可能コイル、１３はアルミまたはアルミと同等以上の高導電率の金属からなる鍋が加熱不可能な高導電率負荷加熱不可能コイル、２１は高導電率負荷加熱可能コイル１２の周部近傍に対向する部分の表面または裏面に、加熱時に浮力低減板の発熱による天板の温度上昇によるやけど防止の旨の注意書きを記載した天板。１４は本体部である。
【００３９】
以上のように本実施例によれば、加熱時に浮力低減板の発熱による天板の温度上昇によるやけど防止の旨の注意書きを、その使用している高導電率負荷加熱可能コイル１２の周部近傍に記載できるため、見やすくまたうっかりの見忘れも防止できる。
【００４０】
【発明の効果】
以上のように本発明は、高導電率負荷加熱可能コイルと、高導電率負荷加熱不可能コイルと、前記高導電率負荷加熱可能コイルの対向部分に対し前記高導電率負荷加熱不可能コイルの対向部分を異なる色または模様とした天板とを備えた構成や、前記高導電率負荷加熱可能コイルの対向部分の一部または全部に対し裏面に塗料を塗布し、かつ前記高導電率負荷加熱不可能コイルの対向部分には裏面に塗料を塗布しない天板とを備えた構成、あるいは前記高導電率負荷加熱可能コイルの対向部分における塗料が塗布された面積密度に対し、前記高導電率負荷加熱不可能コイルの対向部分における塗料が塗布された面積密度を異ならせた天板とを備えた構成とすることにより、使用者が当該バーナを、高導電率負荷加熱可能コイル搭載のバーナなのか、高導電率負荷加熱不可能コイル搭載のバーナなのかをひと目で識別出来るようになり、誤使用のない使い勝手の良い誘導加熱調理器を提供することができる。
【００４１】
さらに高導電率負荷加熱可能コイルと天板間に、高導電率材料からなり負荷である鍋に働く浮力を低減する浮力低減板を設けることにより、高導電率負荷加熱時に発生する浮力を低減できるため、鍋の浮力による移動が抑制され安全に不都合なく調理することができる。
【００４２】
また、高導電率負荷加熱可能コイルの周部近傍に対向する天板の表面または裏面に、加熱時に浮力による負荷の浮きまたは移動が生じる旨の注意書き、あるいは加熱時に浮力低減板の発熱による天板の温度上昇によるやけど防止の旨の注意書きを記載した安全性の高い誘導加熱調理器を実現できるものである。
【図面の簡単な説明】
【図１】本発明の第１の実施例における誘導加熱調理器の構成図
【図２】本発明の第２の実施例における誘導加熱調理器の構成図
【図３】本発明の第３の実施例における誘導加熱調理器の構成図
【図４】本発明の第４の実施例における誘導加熱調理器の構成図
【図５】本発明の第５の実施例における誘導加熱調理器の構成図
【図６】本発明の第６の実施例における誘導加熱調理器の構成図
【図７】本発明の第７の実施例における誘導加熱調理器の構成図
【図８】従来例における誘導加熱調理器の構成図
【符号の説明】
１０　鍋
１１　天板
１２　高導電率負荷加熱可能コイル
１３　高導電率負荷加熱不可能コイル
１４　本体部
１９　浮力低減版
【図１】
2004134283.tif 000003
【図２】
2004134283.tif 000004
【図３】
2004134283.tif 000005
【図４】
2004134283.tif 000006
【図５】
2004134283.tif 000007
【図６】
2004134283.tif 000008
【図７】
2004134283.tif 000009
【図８】
2004134283.tif 000010